(57)【要約】【課題】  本体に設けられた操作部の操作により信号を出力する操作装置において、点検担当者ができる限り少ない作業工数及び作業時間で点検及び消毒を実施できるようにする。【解決手段】  点検装置２０の筐体２００内部にナースコール子機１を収容し、ナースコール子機１と点検装置２０とを接続して点検を開始すると、Ｉ／Ｆ部がナースコール子機１からの信号を入力したか否かを判定する。ナースコール子機１が正常に動作していれば、ナースコール子機１から信号が出力され、点検装置２０がその信号を入力したと判断される。これにより、ナースコール子機１が正常に動作したことを通知する通知部２４及び筐体２００内部を消毒する消毒部２５を動作させるので、ナースコール子機１を筐体２００内部に収容して点検装置２０に接続し、開始ボタン２０３を操作するだけで、ナースコール子機１の点検及び消毒を実施できる。【選択図】        図２
2010194268.tif 000002
【特許請求の範囲】
【請求項１】
所定の操作により信号を外部へ出力する操作装置を内部に収容する筐体と、
前記筐体の内部に設けられ、前記操作装置を接続するための接続部と、
前記操作装置から出力された前記信号を前記接続部を介して入力する入力部と、
前記入力部が前記信号を入力したか否かを判定する判定部と、
前記操作装置の動作が正常に行われたことを通知する通知部と、
前記筐体の内部に設けられ、前記筐体の内部を消毒する消毒部と、
前記入力部が前記信号を入力したと前記判定部にて判断した場合に、前記通知部および前記消毒部を動作させる制御部と、
を備えたことを特徴とする点検装置。
【発明の詳細な説明】
【技術分野】
【０００１】
本発明は、病院などで看護師などの医療従事者を呼び出すために患者が使用するナースコール子機などの操作装置の動作を点検する点検装置に関する。
【背景技術】
【０００２】
従来、病院などでは、ナースコールシステムが用いられている。ナースコールシステムは、病室内の患者の近辺（例えば、ベッド上など）に設置されたナースコール子機および医療従事者の居る部屋（例えば、スタッフルームなど）に設置されたナースコール親機を有線により接続して構成されている。また、ナースコール子機およびナースコール親機は、廊下灯や制御機などを介して接続されている。さらに、医療従事者が携行している複数の携帯通信端末（例えば、ＰＨＳ（Ｐｅｒｓｏｎａｌ  Ｈａｎｄｙｐｈｏｎｅ  Ｓｙｓｔｅｍ）やコードレス電話など）は、無線を介してナースコール親機に接続されている。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。呼び出しを把握した医療従事者は、ナースコール親機に設けられた受話器や携帯通信端末により呼び出しに応答することができる。
【０００３】
ここで、ナースコール子機およびナースコール親機は有線により接続されているため、有線接続のためのケーブルは壁面の内部に配設される。一方、ナースコール子機は、患者の近辺にある程度の自由度を持って設置される。そのため、ベッドサイドの壁面に設けたウォールユニットにナースコール子機を接続している。このとき、ナースコール子機は、患者が操作するための操作ボタンを備えた子機本体と、ウォールユニットの接続端子であるコンセントと対になっている形状のプラグと、子機本体とプラグとの間に形成され、患者が操作した際に子機本体により生成される信号をプラグへ伝達するコードとを備えて構成されている。ウォールユニットは、プラグを接続するためのコンセントを備えている。ウォールユニットのコンセントにプラグを差し込むことにより、ナースコール子機は、ウォールユニットを介してナースコール親機に接続される。
【０００４】
このように構成されたナースコールシステムにおいて、患者が呼び出しを行ったことをナースコール親機が報知するためには、ナースコール子機はナースコール親機へ信号を出力する必要があり、ナースコール親機はナースコール子機から出力された信号を入力する必要がある。そのため、ナースコール子機が信号を出力することができなければ、患者がナースコール子機を操作して呼び出しを行っても、ナースコール親機は、信号を入力しないため、呼び出しを報知しない。そこで、ナースコール親機が確実に呼び出しを報知することができるようにするために、医療従事者や点検担当者など（以下、単に点検担当者とする）によって保守点検が定期的に実施されている。
【０００５】
ところで、センサ類の動作が正常に行われているか否かを点検するためのセンサ作動検査装置が知られている（例えば、特許文献１など）。特許文献１に記載のセンサ作動検査装置では、近接スイッチなどのセンサを装置本体に取り付け、近接スイッチが動作した場合に、装置本体のＬＥＤランプを点灯するようにしている。これにより、装置本体のＬＥＤランプの点灯を見た点検担当者は、近接スイッチが正常に動作していることを把握することができる。
【０００６】
この特許文献１に記載のセンサ作動検査装置にナースコールシステムのウォールユニットと同じ形状のコンセントを設け、ナースコール子機の点検装置として使用することが考えられる。その場合、ウォールユニットのコンセントに差し込まれていたプラグを抜いてナースコール子機をウォールユニットから取り外し、点検装置のコンセントにプラグを差し込んでナースコール子機を操作すると、ナースコール子機が正常に動作したときには、装置本体のＬＥＤが点灯する。そのため、装置本体のＬＥＤの点灯を見た点検担当者は、ナースコール子機が正常に動作していることを把握することができる。
【０００７】
一方、患者は、ナースコール子機に直接触れて操作することが多い。そのため、ナースコール子機に細菌などが付着することがある。これにより、細菌などがナースコール子機を介して他の患者などの手に付着し、院内感染などが起こることが考えられる。点検担当者は、ナースコール子機が正常に動作しているかどうかを調べるだけでなく、ナースコール子機を介した院内感染を防ぐためにもナースコール子機を常に清潔な状態にしておく必要がある。そのため、ナースコール子機が保守点検などでウォールユニットから外されたタイミングで、点検担当者は、ナースコール子機の消毒や洗浄を実施している。ここで、ナースコール子機の消毒や洗浄の方法としては、ナースコール子機に紫外線を照射することや消毒用エタノールなどの消毒液をナースコール子機に塗布することが挙げられる。
【０００８】
ところで、マイクロホンを常に清潔するためのマイク消毒器が知られている（例えば、特許文献２など）。特許文献２に記載のマイク消毒器では、紫外線光源を殺菌容器内に設け、マイク消毒器の使用者などがその殺菌容器内にマイクロホンをセットして電源スイッチを入れると、殺菌容器内に紫外線を照射するようにしている。この紫外線によりマイクロホンが殺菌消毒されるので、使用者などは、簡単な操作でマイクロホンを消毒することができる。この特許文献２に記載のマイク消毒器をナースコール子機の消毒器に適用すると、ナースコール子機の点検担当者は、ナースコール子機を紫外線によって消毒することができる。
【０００９】
このように、ナースコール子機を点検する際に特許文献１に記載のセンサ作動検査装置を使用した点検装置を用いて、ナースコール子機を消毒する際に特許文献２に記載の消毒器を使用すれば、点検担当者は、ナースコール子機の点検およびナースコール子機の消毒を行うことができる。しかしながら、点検担当者がナースコール子機の点検およびナースコール子機の消毒を実施するには、次のような問題があった。すなわち、点検担当者は、センサ作動検査装置にナースコール子機をセッティングし、ナースコール子機を操作してＬＥＤの点灯を確認した後、センサ作動検査装置からナースコール子機を取り出す必要があった。そして、ナースコール子機を消毒器にセッティングし、電源スイッチを入れて消毒が終了した後、ナースコール子機を消毒器から取り出す必要があった。このように、ナースコール子機の点検作業とナースコール子機の消毒作業とが別々に行われるため、作業工数が増えたり、作業時間が増えたりしてしまうという問題があった。
【先行技術文献】
【特許文献】
【００１０】
【特許文献１】特開平５−１７２５９５号公報
【特許文献２】特開平６−１６５２７９号公報
【発明の概要】
【発明が解決しようとする課題】
【００１１】
本発明は、このような課題を解決するために成されたものであり、本体に設けられた操作部の操作によって信号を外部へ出力する操作装置において、点検担当者ができる限り少ない作業工数および作業時間で点検および消毒を実施できるようにすることを目的とする。
【課題を解決するための手段】
【００１２】
上述した課題を解決するために、本発明の点検装置では、点検装置内部に設けられた接続部に点検の対象となっている操作装置を接続して、操作装置を点検装置内部に収容する。そして、操作装置を操作して操作装置が正常に動作すると、通知部により操作装置が正常に動作したことを通知するとともに、消毒部が操作装置を消毒するようにしている。
【発明の効果】
【００１３】
上記のように構成した本発明によれば、点検装置内部に収容され、点検装置の接続部に接続された操作装置を操作して操作装置が正常に動作すると、正常に動作したことが通知されるとともに、点検装置内部で操作装置に対して消毒が行われる。これにより、点検装置内部に操作装置を収容し、点検装置に操作装置を接続して操作装置を操作するだけで、操作装置の点検および操作装置の消毒を実施することができる。従って、点検担当者は、操作装置の点検および操作装置の消毒をできる限り少ない作業工数および作業時間で実施することができる。
【図面の簡単な説明】
【００１４】
【図１】本実施形態による点検装置を含む点検システムの構成例を示すブロック図である。
【図２】本実施形態による点検装置にナースコール子機を接続して収容した点検システムの外観例を示す説明図である。
【発明を実施するための形態】
【００１５】
以下、本発明の一実施形態を図面に基づいて説明する。本実施形態による点検装置を含む点検システムの構成例を示すブロック図を図１に示すとともに、本実施形態による点検装置にナースコール子機を接続して収容した点検システムの外観例を示す図を図２に示す。図１および図２に示すように、点検システムは、ナースコール子機（特許請求の範囲の操作装置に該当する）１、点検装置２０を備えて構成されている。
【００１６】
ナースコール子機１は、子機用制御部２、呼出操作部３、子機用インターフェース（以下、Ｉ／Ｆとする）部４を備えた子機本体１０、コード１１、プラグ１２を備えて構成されている。また、点検装置２０は、筐体２００を備えて構成されている。また、筐体２００は、制御部２１、インターフェース（以下、Ｉ／Ｆとする）部（特許請求の範囲の入力部に該当する）２２、判定部２３を備えた制御ユニット２０１、コンセント（特許請求の範囲の接続部に該当する）２０２、開始ボタン２０３、固定部２０４、通知部２４、消毒部２５を備えて構成されている。
【００１７】
図１および図２に示すナースコール子機１は、通常の使用状態において、病室内の患者の近辺（例えば、ベッド近傍など）に設置されており、患者が呼出操作部３を操作することにより、医療従事者に対して呼び出しを行うための信号を出力する。また、ナースコール子機１がナースコール親機（図示せず）に接続されている状態で、ナースコール子機から出力された信号を入力したナースコール親機は、医療従事者に対して呼び出しを報知する。
【００１８】
子機本体１０は、患者によって把持される略円筒状の筐体により形成されており、呼出操作部３の一部を一端から露出している。コード１１は、子機本体１０の他端とプラグ１２との間に形成されており、子機用制御部２で生成された信号を子機本体１０からプラグ１２へ伝達するためのものである。プラグ１２は、壁面の内部に配設されるケーブルを介してナースコール親機とナースコール子機１とを接続するためにベッドサイドの壁面に設けたウォールユニットの接続端子であるコンセント（図示せず）および点検装置２０のコンセント２０２と対になっている形状に形成されている。
【００１９】
子機用制御部２は、ナースコール子機１の各構成要素を後述するように制御する。呼出操作部３は、ボタンなどにより構成されている。通常の使用状態において、呼出操作部３は、患者が医療従事者を呼び出すために操作される。子機用Ｉ／Ｆ部４は、通常の使用状態において、ナースコール子機１がナースコール親機との間で通信するために親機用インターフェース（以下、Ｉ／Ｆとする）部（図示せず）に接続される。ここで、患者により呼出操作部３が操作されると、子機用制御部２は信号を生成する。そして、子機用Ｉ／Ｆ部４が親機用Ｉ／Ｆ部に接続されていれば、子機用Ｉ／Ｆ部４は、子機用制御部２が生成した信号をナースコール親機へ出力する。
【００２０】
一方、ナースコール子機１の点検およびナースコール子機１の消毒を実施する場合において、呼出操作部３は、点検担当者によりナースコール子機１の点検およびナースコール子機１の消毒を実施するために操作される。同様の場合において、子機用Ｉ／Ｆ部４は、ナースコール子機１が点検装置２０との間で通信するためにＩ／Ｆ部２２に接続される。ここで、ナースコール子機１のプラグ１２は、点検装置２０のコンセント２０２に差し込まれる。この状態で、点検担当者が開始ボタン２０３を介して間接的に呼出操作部３を操作すると、子機用制御部２は信号を生成する。そして、子機用Ｉ／Ｆ部４がＩ／Ｆ部２２に接続されていれば、子機用Ｉ／Ｆ部４は、子機用制御部２にて生成された信号を点検装置２０へ出力する。
【００２１】
点検装置２０は、点検担当者が居る部屋（例えば、スタッフルームなど）に置かれており、点検担当者がナースコール子機１の点検およびナースコール子機１の消毒を実施するためのものである。筐体２００は、内部に空間を有する箱型であり、図中上面部分には片開きタイプの蓋２００ａが設けられている。ここで、実際に使用される筐体２００は、主に不透明な素材で形成されているが、本実施形態では筐体２００の内部を説明するために、透明な素材で筐体２００を形成しているかのように図示している。
【００２２】
制御ユニット２０１は、ナースコール子機１の点検およびナースコール子機１の消毒の実施を制御するためのものである。また、制御ユニット２０１の図中右側面部分には、コンセント２０２が設けられている。点検装置２０のコンセント２０２は、ナースコール子機１を接続するためのものであり、ウォールユニットのコンセントと同じ形状になっている。また、コンセント２０２には、ナースコール子機１のプラグ１２が差し込まれる。
【００２３】
開始ボタン２０３は、筐体２００の図中右側面部分に設けられ、ナースコール子機１の点検およびナースコール子機１の消毒を開始するためのものである。開始ボタン２０３が押下されると、開始ボタン２０３が筐体２００内部へ移動し、開始ボタン２０３の押下面と反対側の面（以下、開始ボタン２０３の操作面とする）が筐体２００内部に押し出される。また、押下した開始ボタン２０３を離すと、開始ボタン２０３は元の位置に戻る。ここで、本実施形態の開始ボタン２０３としては周知の押しボタンを使用するため、開始ボタン２０３の具体的な構成及び動作の説明は省略する。
【００２４】
固定部２０４は、筐体２００内部の所定の位置に設けられ、子機本体１０を固定するためのものである。ここで、筐体２００内部の所定の位置とは、子機本体１０を固定部２０４に固定した際に、開始ボタン２０３の操作面が呼出操作部３を操作することができる位置（開始ボタン２０３の操作面が呼出操作部３のボタン表面に当接する位置）を示す。子機本体１０を固定部２０４に固定することで、点検担当者が開始ボタン２０３を押下すると、開始ボタン２０３の操作面は、呼出操作部３を操作することができるようになる。
【００２５】
制御部２１は、制御ユニット２０１の内部に設けられており、点検装置２０の各構成要素を後述するように制御する。Ｉ／Ｆ部２２は、点検装置２０がナースコール子機１との間で通信するためのものであり、プラグ１２がコンセント２０２に差し込まれると、子機用Ｉ／Ｆ部４に接続される。ここで、Ｉ／Ｆ部２２が子機用Ｉ／Ｆ部４に接続されていれば、Ｉ／Ｆ部２２は、ナースコール子機１から出力された信号を入力することができる。判定部２３は、Ｉ／Ｆ部２２がナースコール子機１から出力された信号を入力したか否かを判定する。
【００２６】
通知部２４は、ナースコール子機１の動作が正常に行われたことを通知するためのものである。また、通知部２４は、ランプにより構成されており、ランプを点灯させて通知を行う。ここで、通知部２４は、点検担当者が見やすい位置（例えば、筐体２００の図中上面部分など）に取り付けられている。また、通知部２４は、制御ユニット２０１の内部に設けられた制御部２１に接続されている。Ｉ／Ｆ部２２がナースコール子機１から出力された信号を入力していないと判定部２３にて判断した場合に、制御部２１は、通知部２４を動作させない。一方、Ｉ／Ｆ部２２がナースコール子機１から出力された信号を入力したと判定部２３にて判断した場合に、制御部２１は通知部２４を動作させる。ここで、通知部２４は、動作を開始してから所定時間（点検担当者がナースコール子機１の正常動作を確認することが十分にできる時間）の間点灯する。
【００２７】
消毒部２５は、ナースコール子機１を消毒するためのものである。また、消毒部２５は、紫外線ランプにより構成されており、紫外線ランプの点灯により紫外線を放射する。ここで、消毒部２５は、筐体２００内部に収容されており、筐体２００内部全体にわたって紫外線を照射することができるような位置（例えば、筐体２００の図中下面部分の二箇所など）に配置されている。また、消毒部２５は、制御ユニット２０１の内部に設けられた制御部２１に接続されている。なお、消毒部２５が筐体２００内部全体にわたって紫外線を照射することができるように、筐体２００は、紫外線を反射するような反射板を内壁に備えるようにしても良い。ナースコール子機１を収容した筐体２００内部全体にわたって消毒部２５が紫外線を照射すると、筐体２００内部に収容されたナースコール子機１の子機本体１０、コード１１、プラグ１２の表面が紫外線の殺菌作用により消毒される。Ｉ／Ｆ部２２がナースコール子機１から出力された信号を入力していないと判定部２３にて判断した場合に、制御部２１は、消毒部２５を動作させない。一方、Ｉ／Ｆ部２２がナースコール子機１から出力された信号を入力したと判定部２３にて判断した場合に、制御部２１は消毒部２５を動作させる。ここで、消毒部２５は、動作を開始してから所定時間（ナースコール子機１が十分に消毒される時間）の間点灯する。なお、通知部２４が動作する所定時間と消毒部２５が動作する所定時間とは、同一の時間であっても良いし、異なる時間であっても良い。
【００２８】
点検担当者が点検装置２０を使用してナースコール子機１の点検およびナースコール子機１の消毒を実施する場合に、まず、点検担当者は、ウォールユニットのコンセントに差し込まれていたプラグ１２を引き抜いてナースコール子機１を取り外す。ナースコール子機１を取り外した後、点検担当者は、点検装置２０の蓋２００ａを開き、筐体２００内部に設けられた固定部２０４に子機本体１０を固定する。また、点検担当者は、コンセント２０２にプラグ１２を差し込んで、ナースコール子機１と点検装置２０とを接続する。そして、点検担当者は、筐体２００内部にコード１１を収容して蓋２００ａを閉める。これにより、ナースコール子機１の点検およびナースコール子機１の消毒を実施するためのセッティングが完了する。
【００２９】
セッティング完了後、検査装置２０において、判定部２３は、Ｉ／Ｆ部２２がナースコール子機１から出力された信号を入力したか否かを判定する。一方、点検担当者が開始ボタン２０３を押下すると、開始ボタン２０３が筐体２００内部へ移動し、開始ボタン２０３の操作面が筐体２００内に押し出され、呼出操作部３を押下する。
【００３０】
ナースコール子機１が正常に動作するものであれば、開始ボタン２０３により呼出操作部３が操作されると、子機用制御部２は信号を生成し、子機用Ｉ／Ｆ部４は子機用制御部２にて生成された信号を点検装置２０へ出力する。一方、ナースコール子機１が何らかの異常により正常に動作しないものであれば、開始ボタン２０３により呼出操作部３が操作されても、子機用Ｉ／Ｆ部４は信号を出力しない。
【００３１】
また、点検装置２０では、Ｉ／Ｆ部２２がナースコール子機１から出力された信号を入力したと判定部２３にて判断した場合に、制御部２１は、ナースコール子機１が正常に動作したと判断して、通知部２４を動作させてナースコール子機１の動作が正常に行われたことを点検担当者に知らせるとともに、消毒部２５を動作させて紫外線を照射させる。そして、筐体２００内部に収容されたナースコール子機１は、照射された紫外線により消毒される。そして、通知部２４および消毒部２５の動作を開始してから所定時間が経過すると、制御部２１は、通知部２４の動作を停止させて知らせを停止させるとともに、消毒部２５の動作を停止させて紫外線の照射を停止させる。一方、Ｉ／Ｆ部２２が信号を入力していないと判定部２３にて判断した場合に、制御部２１は、通知部２４および消毒部２５を動作させない。
【００３２】
以上、詳しく説明したように、本実施形態による点検装置２０では、点検の対象となっているナースコール子機１を筐体２００内部に収容し、点検装置２０の筐体２００内部に設けられたコンセント２０２にナースコール子機１のプラグ１２を差し込んで、ナースコール子機１と点検装置２０とを接続する。この状態で、判定部２３は、Ｉ／Ｆ部２２がナースコール子機１から出力された信号を入力したか否かを判定する。その後、筐体２００に設けられた開始ボタン２０３を点検担当者が押下すると、開始ボタン２０３によりナースコール子機１の呼出操作部３が操作される。ナースコール子機１が正常に動作していれば、子機用Ｉ／Ｆ部４は、子機用制御部２にて生成された信号を点検装置２０へ出力し、判定部２３は、Ｉ／Ｆ部２２がナースコール子機１から出力された信号を入力したと判断する。そのため、制御部２１は、ナースコール子機１が正常に動作したと判断し、通知部２４を動作させてナースコール子機１の動作が正常に行われたことを点検担当者に知らせるとともに、消毒部２５を動作させてナースコール子機１を消毒させるようにしている。これにより、点検装置２０の内部にナースコール子機１を収容し、点検装置２０のコンセント２０２にナースコール子機１のプラグ１２を接続して、開始ボタン２０３を操作するだけで、点検担当者は、ナースコール子機１の点検およびナースコール子機１の消毒を実施することができる。このことから、点検担当者は、ナースコール子機１の点検およびナースコール子機１の消毒をできる限り少ない作業工数および作業時間で実施することができる。
【００３３】
なお、前述した実施形態では、通知部２４は、ランプにより構成されているが、これに限定されない。例えば、通知部２４は、表示ディスプレイやスピーカなどにより構成されるようにしても良い。
【００３４】
また、前述した実施形態では、通知部２４は、ランプを点灯させて通知を行っているが、これに限定されない。例えば、通知部２４は、ランプを点滅させて通知を行うようにしても良い。
【００３５】
また、前述した実施形態では、消毒部２５は、紫外線ランプにより構成されているが、これに限定されない。例えば、消毒部２５は、消毒用エタノールなどの消毒液を噴霧する噴霧装置により構成されるようにしても良い。
【００３６】
また、前述した実施形態では、制御部２１は、Ｉ／Ｆ部２２がナースコール子機１から出力された信号を入力したと判定部２３にて判断した時点で、通知部２４を動作させているが、これに限定されない。例えば、制御部２１は、Ｉ／Ｆ部２２がナースコール子機１から出力された信号を入力してからある程度の時間が経過した後に、通知部２４を動作させるようにしても良い。
【００３７】
その他、点検装置の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００３８】
１    ナースコール子機
２    子機用制御部
３    呼出操作部
４    子機用インターフェース（Ｉ／Ｆ）部
１０    子機本体
１１    コード
１２    プラグ
２０    点検装置
２１    制御部
２２    インターフェース（Ｉ／Ｆ）部
２３    判定部
２４    通知部
２５    消毒部
２００    筐体
２００ａ    蓋
２０１    制御ユニット
２０２    コンセント
２０３    開始ボタン
２０４    固定部
【図１】
2010194268.tif 000003
【図２】
2010194268.tif 000004